(57)【要約】【課題】ビス（ネジ）の隠蔽を容易性にし、枠の取付・取外の容易性を向上させ、見栄えが良く意匠性のある取付枠を提供する。【解決手段】躯体等に枠を取り付ける枠取付用ビスを、枠において二方向に弾性的に装着されるカバー体３０で覆う。カバー体３０は、弾性止水材又は弾性気密材からなる。また、カバー体５０は、一端部に第１挿込部５１が形成され、他端部に第２挿込部５３が形成される。第１挿込部５１、第２挿込部５３共にその先端外周部に翼部が形成される。また、第１挿込部５１の近傍には折曲部５２が設けられ、第２挿込部５３の側部には舌片状の笠部５１ａが形成される。【選択図】図１
2005076215.tif 000002
【特許請求の範囲】
【請求項１】
躯体等に取付枠を固着するビスを、前記取付枠に二つの相違する方向に弾性的に装着させるカバー体で覆うことを特徴とする取付枠装置。
【請求項２】
上記カバー体の互いに離れた２ヶ所に取付枠への挿入部を形成し、取付枠には２つの凹部を形成することを特徴とする請求項１記載の取付枠装置。
【請求項３】
上記カバー体の挿入部近傍には、折曲げ部を形成することを特徴とする請求項２記載の取付枠装置。
【請求項４】
上記カバー体は、弾性止水材又は弾性気密材からなることを特徴とする請求項１乃至請求項３記載のいづれかの取付枠装置。
【発明の詳細な説明】
【技術分野】
【０００１】
本発明は躯体の開口部等に設けられる躯体等の取付枠に関するもので、特に、玄関引戸、サッシ、ドア等における枠取付ビスのビス頭を覆う取付枠用カバー体に関する。
【背景技術】
【０００２】
従来、躯体等の取付枠に用いられるビスのビス頭隠しは、例えば、下記の特許文献１に開示されている。この従来技術にかかるビス頭の隠し構造は開口枠を固定する戸当りにより隠蔽され、木ねじやビスの頭が露出しないようにするもので外観の美観を維持することができるものである。
【０００３】
また、下記の特許文献２に記載の技術は、取付部は前面に開放された状態で断面コ字状に形成され、内部にビスが取り付けられる溝条が形成されている。そして溝条の前端には、ビス頭を溝条内に隠蔽するようにモヘアが取り付けられているものである。
【０００４】
【特許文献１】特開２００１−２０７７３２号公報
【特許文献２】実開平７−１５９８６号公報
【発明の開示】
【発明が解決しようとする課題】
【０００５】
しかしながら、上記従来のビス頭の隠蔽体は、取付に手数を要し、意匠性も十分でないという問題があった。したがって、本発明の課題は、ビス（ネジ）頭の隠蔽の容易性を向上させ、ひいては枠の取付・取外の容易性を向上させ、枠固定ビス頭を確実に隠すことができ、見栄えが良く意匠性のある躯体等の取付枠を提供することにある。
【課題を解決するための手段】
【０００６】
上記課題を達成するために、本発明は、以下の手段を講じた。
請求項１記載の躯体等の取付枠装置は、躯体等に取付枠を固着するビスを、前記取付枠に二つの相違する方向に弾性的に装着させるカバー体で覆うことを特徴とする。
また、請求項２記載の躯体等の取付枠装置は、請求項１記載の躯体等の取付枠装置において、上記カバー体の互いに離れた２ヶ所に取付枠への挿入部を形成し、取付枠には、２つの凹部を形成することを特徴とする。
また、請求項３記載の躯体等の取付枠装置は、請求項２記載の躯体等の取付枠装置において、上記カバー体の挿入部近傍には、折曲げ部を形成することを特徴とする。
また、請求項４記載の躯体等の取付枠装置は、請求項１乃至請求項３記載のいづれかの取付枠装置において、上記カバー体は、弾性止水材又は弾性気密材からなることを特徴とする。
【発明の効果】
【０００７】
上記構成により、隠蔽の容易性向上、枠の取付・取外しの容易性が向上し、且つ、意匠性の向上を図りながらコスト削減を図ることができる。また、ビス頭隠し用の別部材（目板等）が不要となるばかりでなく、枠固定ビスの頭を隠すことと同時に気密を保持することが可能となり、不要な段差やラインを無くす事が可能となるうえ、コスト削減ともなる。また、上記カバー体は、二方向に弾性的に装着されることから、カバー体のめくれ，ずれ等の発生が少なくなる。
【発明を実施するための最良の形態】
【０００８】
以下、最良の形態について実施例１及び実施例２を用いて説明する。
【実施例１】
【０００９】
先ず、本発明の実施例１について図面を用いて説明する。図１はその枠固定ビスのビス頭隠し構造の縦断面図、図２は本発明の使用図である。図２に示すように、玄関引戸、引き違い窓、片引き窓などの開口枠において、柱（躯体側）１０に当接する当接部材２１と外面部材２２はビス１１により固定される。
【００１０】
（縦枠２０）
縦枠２０はアルミ合金を素材として構成され、水平断面が概略直方体のパイプ形状として形成され、柱１０に当接する当接部材２１、障子等が当接する外面部材２２等からなる。そして、上記ビス１１は、当接部材２１及び外面部材２２を貫いて、柱１０に縦枠２０を装着状態としている。
【００１１】
上記外面部材２２には、障子当接凹部２２ｅが形成されると共に、障子当接凹部２２eの中央部に上記ビス１１が挿通される。また、障子当接凹部２２ｅと外面部材２２との段差部には、コの字型の第１凹部２２ａが面外方向に形成されると共に、前記障子当接凹部２２ｅには、前記ビス１１の挿通部に隣接して（但し、第１凹部２２aとは反対側）、コの字型の第2凹部２２ｂが面内方向に形成される。また、第１凹部２２ａ及び第２凹部２２ｂのそれぞれの内面の周部には抜止片２２ｃ，２２ｄが形成される。
【００１２】
（カバー体３０）
上記縦枠２０の外面部材２２にはカバー体３０が装着される。カバー体３０は、弾性素材からなる薄板状のタイト材で構成され、図１に示されるように、一端部に駒状の第１挿込部３１が形成されると共に、他端部にも駒状の第２挿込部３３が形成される。前記第１挿込部３１、第２挿込部３３共にその先端外周部に翼部（符号なし）が形成されている。また、第１挿込部３１の近傍のカバー体には折曲部３２が設けられると共に、その中間部には枝状の延設部３４が形成され、更に、第２挿込部３３の一側には舌片状の笠部３１ａが形成される。
【００１３】
（取付）
上記カバー体３０を縦枠２０に取り付けるに当っては、図２に示すように、柱１０に縦枠２０を当接して、ビス１１により固定後、第１凹部２２ａにカバー体３０の第１挿込部３１を挿入して装着し、その後において第２凹部２２ｂに第２挿込部３３を挿入すればよい。この状態において、カバー体３０はビス１１のビス頭１１ａを覆うことになるから、ビス頭１１ａの隠蔽が容易であり、その結果、縦枠２０の取付が容易になる。また、この場合、第１凹部２２ａ及び第２凹部２２ｂには、抜止片２２ｃ，２２ｄが形成されていることから、第１挿込部３１、第２挿込部３３共に、第１凹部２２ａ及び第２凹部２２ｂから抜け難く、しかも、着脱操作が可能である。
【００１４】
また、外面部材２２にはカバー体３０によって、意匠性の向上を図りながらコスト削減を図ることができる。また、ビス１１の頭隠し用の別部材（目板等）が不要となるという効果もある。また、このカバー体３０は、ビス１１の頭１１ａを隠すことと同時に縦枠２０と障子との間の気密・水密保持機能も有する。また、ビス１１打ちの範囲を広く設定でき、且つ、意匠性の向上を図りながらコスト削減を図ることができる。更に、気密保持機能に加えて、外面部材と一体化させることで、不要な段差やラインが生じないという効果もある。
【実施例２】
【００１５】
次に第２の実施例について図３を用いて説明する。図３はドア、開き窓、回転窓等における本発明に係る第２実施例における断面図である。
（縦枠４０）
縦枠４０はアルミ合金を素材として構成され、柱１０に当接する当接部材４１、外面部材４２等からなる。そして、上記ビス１１は、外面部材４２を貫いて、柱１０に縦枠４０を装着状態としている。
【００１６】
上記外面部材４２には、コ字型の第１凹部４２ａが面外方向に形成されると共に、前記外面部材４２には、前記ビス１１の挿通部に隣接して（但し、第１凹部２２aとは反対側）、コ字型の第２凹部４２ｂが面内方向に形成される。また、第１凹部４２ａ及び第２凹部４２ｂのそれぞれの内面の周部には実施例１と同様に抜止片（符号なし）が形成される。
【００１７】
（カバー体５０）
上記縦枠４０の外面部材４２にはカバー体５０が装着される。カバー体５０は、弾性素材から構成され、図３に示されるように、一端部に第１挿込部５１が形成されると共に、他端部に第２挿込部５３が形成される。前記第１挿込部５１、第２挿込部５３共にその先端外周部に翼部（符号なし）が形成されている。また、第１挿込部５１の近傍には折曲部５２が設けられると共に、その中間部には枝状の延設部５４が形成され、更に、第２挿込部５３の側部には舌片状の笠部５１ａが形成される。なお、カバー体５０は、縦枠４０に装着する場合を説明したが、上下枠（図示せず）に装着する場合も同様である。
【００１８】
（取付）
上記カバー体５０を縦枠２０に取り付けるに当っては、図３に示すように、柱１０に縦枠２０を当接して、ビス１１により固定後、第１凹部４２ａにカバー体５０の第１挿込部５１を挿入して装着し、その後において第２凹部４２ｂに第２挿込部５３を挿入すればよい。この状態において、カバー体５０はビス１１のビス頭１１ａを覆うことになる。したがって、カバー体５０によるビス頭１１ａの隠蔽が容易であり、その結果、縦枠２０の取付・取外しが容易になる。また、この場合、第１凹部４２ａ及び第２凹部４２ｂには、抜止片（符号なし）が形成されている。また、第１凹部４２ａにカバー体５０の第１挿込部５１を挿入して装着した後に、ビス１１打ちする場合にも、カバー体５０は、折曲部５２において折曲状態で行うことができるから、カバー体５０が邪魔になるという弊害はない。
【００１９】
また、第１凹部４２ａにカバー体５０の第１挿込部５１を工場にて予め挿入して、柱１０にビス１１にて縦枠４０を固定した後、第２凹部４２ｂに第２挿込部５３を挿入することもできる。この構成により、カバー体５０の両端部に固定部である挿込部５１，５３を設けたことで、カバー体（タイト材）５０がずれたり、捲れ上がったりすることはない。また、第１凹部４２ａにカバー体５０の第１挿込部５１を工場にて予め挿入しておけば、現場において、カバー体５０を準備する必要がなく、その結果、カバー体５０が不足したり、或いは、紛失するなどの事態を予防できるという効果がある。また、カバー体５０の第１挿込部５１近傍には折曲部５２を形成することで、縦枠（取付枠）４０に対してカバー体５０が取り付け易く、また、取付状態が安定する。
【００２０】
（その他）
なお、上記実施例においては、一本のビス１１をカバー体３０によりカバーする例を示したが、ビス１１は２本以上でもよく、また、直角の２面に配置された２本のビスをカバーする場合に用いてもよい。
【図面の簡単な説明】
【００２１】
【図１】本発明に係る躯体等の取付枠の縦断面図。
【図２】本発明の使用図。
【図３】本発明に係る第２実施例における断面図。
【符号の説明】
【００２２】
１０・・柱                １１・・ビス        １１ａ・・（ビス等の）頭
２０・・縦枠（実施例１）  ２１・・当接部材    ２２・・外面部材
２２ａ・・第１凹部      ２２ｂ・・第２凹部    ２２ｃ，２２ｄ・・抜止片
２２ｅ・・障子当接凹部
３０・・カバー体          ３１・・第１挿込部    ３１ａ・・笠部    
３２・・折曲部            ３３・・第２挿込部    ３４・・延設部
４０・・縦枠（実施例２）  ４１・・当接部材      ４２・・外面部材
４２ａ・・第１凹部        ４２ｂ・・第２凹部
５０・・カバー体（実施例２）  ５１・・第１挿込部    ５１ａ・・笠部
５２・・折曲部            ５３・・第２挿込部        ５４・・延設部
【図１】
2005076215.tif 000003
【図２】
2005076215.tif 000004
【図３】
2005076215.tif 000005